(57)【要約】      （修正有）【課題】本発明は、特に自動車車両のための、細長い電気機械基部導体をもつ車両電流搬送機構に関する。さらに電流搬送機構、特に自動車産業のための電流バー、バックボーン、バスバーに関する。【解決手段】基部導体１０が少なくとも１つの電気的かつ強固に機械的なプラグイン接続デバイス１００を含む。少なくとも１つの電気的かつ強固に機械的なプラグイン接続デバイス１００が電気的かつ機械的に強固な方法で基部導体１０に接続され、さらに電気的かつ強固に機械的な相手側プラグイン接続デバイスによって電気的に接触され得る。電流搬送機構１は細長い電気機械基部導体１０を有する。電気絶縁部３０が細長い電気機械基部導体１０を円周方向に囲み、電気絶縁部３０は少なくとも１つの貫通凹部３１０を有する。基部導体１０は、貫通凹部３１０の領域１１においてプラグイン接続デバイス１００によって電気的に接触される。【選択図】図５
2018110112.tif 000002
【特許請求の範囲】
【請求項１】
特に自動車車両のための、細長い電気機械基部導体（１０）をもつ車両電流搬送機構（１）であって、
前記基部導体（１０）は、少なくとも１つの電気的かつ強固に機械的なプラグイン接続デバイス（１００、２０２）を含み、
前記少なくとも１つの電気的かつ強固に機械的なプラグイン接続デバイス（１００、２０２）は、電気的かつ強固に機械的な方法で前記基部導体（１０）に接続され、さらに、電気的かつ強固に機械的な相手側プラグイン接続デバイス（９）によって電気的に接触され得る、
ことを特徴とする車両電流搬送機構（１）。
【請求項２】
前記電気的かつ強固に機械的な接続は、前記基部導体（１０）と前記プラグイン接続デバイス（１００、２０２）との間に、単一体で、一体化して、単純に、物質的に／接着によりワンピースで、
ワンピースで、および／またはワンパートで形成される、
ことを特徴とする請求項１に記載の車両電流搬送機構（１）。
【請求項３】
前記プラグイン接続デバイス（１００）は、機械的コンタクト部（１１０）を有し、それによって、前記プラグイン接続デバイス（１００）は前記基部導体（１０）に固定される、
前記プラグイン接続デバイス（２０２）は複合コンタクト領域（２１０）を有し、それによって、前記プラグイン接続デバイス（１００）は前記基部導体（１０）とともに形成される、
前記プラグイン接続デバイス（１００、２０２）は、前記相手側プラグイン接続デバイス（９）によって電気的におよび機械的に接触され得るプラグインコンタクト部（１２０、２２０）を有する、および／または
前記車両電流搬送機構（１）は、請求項４から１５のいずれか一項に記載の電流搬送機構（１）としてさらに形成される、
ことを特徴とする請求項１または２に記載の車両電流搬送機構（１）。
【請求項４】
電流搬送機構（１）、特に、自動車産業のための電流バー（１）、バックボーン（１）、バスバー（１）であって、
前記電流搬送機構（１）は細長い電気機械基部導体（１０）を有し、電気絶縁部（３０）が前記細長い電気機械基部導体（１０）を円周方向に囲み、
前記電気絶縁部（３０）は少なくとも１つの貫通凹部（３１０）を有し、前記基部導体（１０）は、前記貫通凹部（３１０）の領域（１１）においてプラグイン接続デバイス（１００）によって電気的に接触される、
ことを特徴とする電流搬送機構（１）。
【請求項５】
前記プラグイン接続デバイス（１００）は、機械的コンタクト部（１１０）とプラグインコンタクト部（１２０）とを含み、
前記機械的コンタクト部（１１０）は、前記貫通凹部（３１０）の前記領域（１１）において前記基部導体（１０）に電気的に接触し、前記プラグインコンタクト部（１２０）は前記基部導体（１０）から突出する、
ことを特徴とする請求項４に記載の電流搬送機構（１）。
【請求項６】
前記電流搬送機構（１）は、前記プラグイン接続デバイス（１００）の領域にジャケット（４１０）を有し、
前記ジャケット（４１０）は、好ましくは、前記プラグイン接続デバイス（１００）の前記プラグインコンタクト部（１２０）を、前記貫通凹部（３１０）の領域（１１）において前記基部導体（１０）から液密に、特に、水密にまたは水蒸気密に封止するように形成される、
ことを特徴とする請求項１から５のいずれか一項に記載の電流搬送機構（１）。
【請求項７】
前記基部導体（１０）は、電気的かつ、強固に機械的な基部導体（１０）として形成される、
前記プラグイン接続デバイス（１００）は打ち抜き部品または打ち抜き曲げ部品として形成される、
前記プラグイン接続デバイス（１００）は、タブコンタクトデバイス（１００）またはピンコンタクトデバイス（１００）として形成される、
前記プラグイン接続デバイス（１００）は、ワンパートで、物質的に／接着によりワンピースで、またはワンピースで、基部導体（１０）に接続される、
前記基部導体（１０）は、前記貫通凹部（３１０）の前記領域（１１）において前記プラグイン接続デバイス（１００）によって電気的かつ機械的に強固な方法で接触される、
前記基部導体（１０）は、前記貫通凹部（３１０）の前記領域（１１）において酸素を取り除かれる、
前記ジャケット（４１０）は、オーバーモールド（４１０）として形成される、
前記ジャケット（４１０）は、相手側プラグイン接続デバイス（９）のコネクタハウジング（４１２）として一部分に形成される、および／または
前記電流搬送機構（１）は、請求項１から６のいずれか一項に記載の車両電流搬送機構（１）としてさらに形成される、
ことを特徴とする請求項１から６のいずれか一項に記載の電流搬送機構（１）。
【請求項８】
電流搬送機構（１）、特に、自動車産業のための電流バー（１）、バックボーン（１）、バスバー（１）であって、
前記電流搬送機構（１）は細長い電気機械基部導体（１０／２０）を有し、電気絶縁部（３０）が前記細長い電気機械基部導体（１０／２０）を円周方向に囲み、
前記電流搬送機構（１）は、前記電気絶縁部（３０）および前記電気機械導体（１０／２０）から露出する少なくとも１つのプラグイン接続デバイス（２０２）を有する、
ことを特徴とする電流搬送機構（１）。
【請求項９】
前記電流搬送機構（１）は、外縁に少なくとも１つの所定のコンタクト領域（２００）を有し、前記外縁から前記プラグイン接続デバイス（２０２）は露出可能であり、
前記電気機械導体（１０／２０）、特に、前記電気機械導体（１０／２０）の電気機械端子導体（２０）は、好ましくは、前記所定のコンタクト領域（２００）において被覆される、
ことを特徴とする請求項８に記載の電流搬送機構（１）。
【請求項１０】
前記電流搬送機構（１）の前記電気機械導体（１０／２０）は、金属複合材製造物、特に、アルミニウム／銅複合材製造物から形成されるか、または
前記電流搬送機構（１）の前記電気機械導体（１０／２０）は、単一金属製造物、特に、アルミニウム製造物から形成される、
ことを特徴とする請求項１から９のいずれか一項に記載の電流搬送機構（１）。
【請求項１１】
前記電気機械導体（１０／２０）は、細長い電気機械基部導体（１０）と、それと平行に配列された細長い電気機械端子導体（２０）とを含み、
前記基部導体（１０）は第１の金属製造物、特にアルミニウムベース製造物を有し、前記端子導体（２０）は第２の金属製造物、特に銅ベース製造物を有し、または、
前記基部導体（１０）および前記端子導体（２０）は、同じ金属製造物を有し、互いに一体化してまたは単一体で形成される、
ことを特徴とする請求項１から１０のいずれか一項に記載の電流搬送機構（１）。
【請求項１２】
前記電流搬送機構（１）は、一方のまたは両方の長手方向側に少なくとも１つの所定のコンタクト領域（２００）を有し、または、
前記電流搬送機構（１）は、一方または両方の長手方向側に、前記基部導体（１０）の長手方向部分に沿って延びる端子導体（２０）を有し、
前記端子導体（２０）は、好ましくは、前記基部導体（１０）の長手方向延長部全体に沿って延びる、
ことを特徴とする請求項１から１１のいずれか一項に記載の電流搬送機構（１）。
【請求項１３】
被覆を除外して、前記プラグイン接続デバイス（２０２）または前記端子導体（２０）の厚さは、前記基部導体（１０）の厚さよりも小さいか、前記基部導体（１０）の厚さと同じか、前記基部導体（１０）の厚さよりも大きく、および／または、
前記電流搬送機構（１）は、複数の電気機械導体（１０／２０、１０／２０、…）をもつ多層電流搬送機構（１）として、特に、２つの電気機械導体（１０／２０、１０／２０）をもつ二層電流搬送機構（１）として形成される、
ことを特徴とする請求項１から１２のいずれか一項に記載の電流搬送機構（１）。
【請求項１４】
前記基部導体（１０）は、電気的かつ強固に機械的な基部導体（１０）として形成される、
前記端子導体（１０）は、電気的かつ強固に機械的な端子導体（１０）として形成される、
前記プラグイン接続デバイス（１００）は、タブコンタクトデバイス（１００）またはピンコンタクトデバイス（１００）として形成される、
前記プラグイン接続デバイス（２０２）は、前記基部導体（１０）とともに単一体で、一体化して、単純に、または物質的に／接着によりワンピースで形成される、および／または、
前記電流搬送機構（１）は、請求項１から１３のいずれか一項に記載の車両電流搬送機構（１）としてさらに形成される、
ことを特徴とする請求項１から１３のいずれか一項に記載の電流搬送機構（１）。
【請求項１５】
請求項１から１４のいずれか一項に記載の車両電流搬送機構（１）または電流搬送機構（１）を有する、
エンティティ（０）、機構（０）、モジュール（０）、サブアセンブリ（０）、機器（０）、装置（０）、機械（０）、運搬手段（０）、輸送手段（０）、システム（０）、またはユニット（０）。
【発明の詳細な説明】
【技術分野】
【０００１】
本発明は、特に自動車車両のための車両電流搬送機構に関する。さらに、本発明は、電流搬送機構、特に、自動車産業のための電流バー、バックボーン（backbone）、またはバスバーに関する。その上、本発明は、エンティティ（entity）、機構、モジュール、サブアセンブリ、機器、装置、機械、運搬手段、搬送手段、システム、またはユニットに関する。
【背景技術】
【０００２】
電気分野（電気工学、エレクトロニクス、電力工学など）において、広範囲の電流、電圧、および／または周波数で電流、電圧、および／または信号を伝達するように働く多くの電気接続機構が知られている。低電圧、中電圧、または高電圧範囲において、および／または低電流、中電流、または高電流範囲において、この種の接続機構は、温かい、おそらくは高温の、汚染された、湿度の高い、および／または化学的腐食環境において、恒久的に、繰り返して、および／または比較的長い耐用寿命の後に、おそらくはすぐさま、電流、電圧、および／または信号を伝達することを保証しなければならない。広範囲の用途により、非常に多くの特別に構成された接続機構が知られている。
【０００３】
銅で製作された可撓性または３次元撓み可能電気導体によるケーブルハーネスが、今日、電流を搬送するために、特に、車両、好ましくは自動車車両において電流を一元的に搬送するために使用される。電気導体に適している他の材料と比較して、銅には、特定量の銅について比較的重量があり比較的購入価格が高いという欠点がある。銅の価格の欠点および重量の欠点は、銅部分が非銅部分で電気的に適切に置き換えられることが意図される場合にも当てはまる。さらに、方向性のない引張り力のみが可撓性導体に機械的に伝達され、そのため、可撓性導体の構築および組立てが困難になる。その理由は、そのような構築および／または組立ては、通常、自動で実行することができないからである。
【発明の概要】
【発明が解決しようとする課題】
【０００４】
本発明の課題は、特に自動車車両のための車両電流搬送機構と、電流搬送機構、特に、自動車産業のための電流バー、バックボーン、またはバスバーとを規定することである。この場合、電流搬送機構は、容易に、特に自動的に、製造および／または組み立てることができるべきであり、電流搬送機構は、銅で製作された電気的に十分なケーブルハーネスと比べて、より低い製造コストおよび／または組立てコストを有することが意図される。さらに方向性のない引張り力以上のものが電流搬送機構によって伝達されて、電流搬送機構の組立てを容易にし、または任意選択で組立てを自動的に実行できることが意図される。
【課題を解決するための手段】
【０００５】
本発明の課題は、特に自動車車両のための車両電流搬送機構によって、電流搬送機構、特に、自動車産業のための電流バー、バックボーン、またはバスバーによって、および独立請求項によるエンティティ、機構、モジュール、サブアセンブリ、機器、装置、機械、運搬手段、搬送手段、システム、またはユニットによって解決される。本発明の有利なさらなる展開、追加の特徴、および／または利点は、従属請求項および以下の記載から明らかである。
【０００６】
本発明の車両電流搬送機構は細長い電気機械基部導体を有し、基部導体は少なくとも１つの電気的かつ強固に機械的なプラグイン接続デバイスを含む。少なくとも１つの電気的かつ強固に機械的なプラグイン接続デバイスは、電気的かつ機械的に強固な方法で基部導体に接続され、さらに、電気的かつ強固に機械的な相手側プラグイン接続デバイスによって電気的に接触され得る。その結果、車両電流搬送機構の可撓性電気導体または可撓性電気ケーブルの電気または電気機械端子が可能である。
【０００７】
この場合、電気機械基部導体は、少なくとも一部分において、および一部分のすべてにおいて、または実質的に少なくとも２つの空間次元の延長部全体にわたって機械的に堅くまたは強固に形成される。概念上の細長い扁平な直方体のような基部導体はここで最小であるので、断面の垂直方向に特定の移動を行うことができる。これは、方向性のない（undirected）引張り力が、可撓性電気導体と同様に１次元で伝達され得るだけでなく、少なくとも２つの空間次元の方向性のある引張り力と、圧力とが、やはり、少なくとも２つの空間次元で伝達され得ることを意味する。
これは、基部導体と、その上に形成された端子導体とを有する以下に記述する細長い電気機械導体の端子導体にも当てはまる。
【０００８】
「電気的かつ強固に機械的な」における「強固に機械的な」という用語は、プラグイン接続デバイスそれ自体と、プラグイン接続デバイスと基部導体との間の接続（ヒンジとは対照的な）と、相手側プラグイン接続デバイスとが、機械的に堅くまたは強固に形成されることを意味するものである。これは、機械的な力および／またはトルクが、好ましくは３つの空間次元でこれらの間で伝達され得ることを意味する。これは、当然、（電気機械、または電気的かつ強固に機械的な）基部導体自体（可撓性または３次元的に撓み可能な導電体とは対照的な）にも関連する。但し、限定的な意味では、それは、長さに依存し、１つの空間次元での特定の可撓性を有効にする（該当する場合、一部分において）（上述を参照）。
【０００９】
このようにして、例えば、機械的なトルクは、電気的かつ強固に機械的なプラグイン接続デバイスにプラグ接続される電気的かつ強固に機械的な相手側プラグイン接続デバイスに、相手側プラグイン接続デバイスからプラグイン接続デバイスに、プラグイン接続デバイスから、プラグイン接続デバイスと電気機械基部導体との間の電気的かつ強固に機械的な接続を通じて基部導体に、および基部導体からさらにサスペンション（電気絶縁部、アセンブリデバイスなど）に導入され得る、または逆もまた同様である。
基部導体とプラグイン接続デバイスとの間の電気的かつ強固に機械的な接続は、単一体で、一体化して、単純に、または物質的に／接着によりワンピースで、ワンピースおよび／またはワンパートで（in one part）形成することができる。
【００１０】
ワンパートで形成されるまたは接続されるとは、プラグイン接続デバイスおよび基部導体が相互接続を生成し、相互接続は、相互に移動することはできないが、手によってまたはツールによって（例えば、デッドロック、クリッピング、ねじ止めなどによって）容易に解放することができ、例えば、摩擦係合および／またはポジティブ係合が２つの構造部品間に確立され得ることを意味するものである。さらに、ワンピースは、プラグイン接続デバイスおよび基部導体がさらに相互接続を生成し、相互接続は、もはや手によってまたはツールによって容易に解放することができず、例えば、クリンピングの場合であり得る（相互接続を解放するとき一方または両方の構造部品を損傷する）ことを意味するものである。摩擦係合、該当する場合ポジティブ係合が、（好ましくは）この場合には必須である。
【００１１】
電流搬送機構は、プラグイン接続デバイスが基部導体に、密着して、該当する場合摩擦係合および／またはポジティブ係合で接続される場合、物質的に／接着によりワンピースで形成される、すなわち、それらは、多くの場合、損傷なしに分離することができない。これは、接着（この場合、損傷なしの分離が可能である場合がある）、はんだ付け（この場合、損傷なしの分離がやはり可能である場合がある）、（スポット）溶接などの場合である。電流搬送機構は、プラグイン接続デバイスと基部導体との間の接続が、両方の構造部品への損傷を引き起こすことなしにまたは両方の構造部品を破壊することなしにもはや分離されなくてもよい場合、単純に形成される。電流搬送機構は、プラグイン接続デバイスおよび基部導体が実質的に同質に形成されるか、または単一の元の部片で／から製作される場合、一体化して形成される。
【００１２】
後者は、単一体構成（monolithic configuration）にも当てはまり、この場合のプラグイン接続デバイスおよび基部導体は、凝集力（cohesion forces）を介して互いに接続され、プラグイン接続デバイスは、少なくとも多結晶的に基部導体で形成される。この場合、プラグイン接続デバイスと基部導体との間を区別することは、形状によってのみ可能である。
これらの主張（物質的に／接着によりワンピースで、単純に、一体化して、または単一体で）は、以下でさらに記述し基部導体およびその上に形成された端子導体を有する電気機械導体の所定のコンタクト領域もしくは端子導体、所定のコンタクト領域、またはプラグイン接続デバイスにも当てはまる。
【００１３】
基部導体は、実質的に堅固に形成され、および／または基部導体を円周方向に囲む電気絶縁部を有することができる。
プラグイン接続デバイスは機械的コンタクト部を有することができ、それによって、プラグイン接続デバイスは基部導体に固定される。代わりに、プラグイン接続デバイスは複合コンタクト領域を有することができ、それによって、プラグイン接続デバイスは、基部導体で形成される。さらに、これらのプラグイン接続デバイスは各々プラグインコンタクト部を有することができ、プラグインコンタクト部は、相手側プラグイン接続デバイスによって電気的におよび機械的に接触され得る。
さらに、車両電流搬送機構は、以下で説明する電流搬送機構のように形成および／または製造することができる。
【００１４】
本発明の電流搬送機構は細長い電気機械基部導体を有し、電気絶縁部が細長い電気機械基部導体を円周方向に囲む。電気絶縁部は少なくとも１つの貫通凹部を有し、基部導体は貫通凹部の領域においてプラグイン接続デバイスによって電気的に接触される。プラグイン接続デバイスは、機械的コンタクト部と、プラグインコンタクト部とを含むことができる。機械的コンタクト部は貫通凹部の領域において基部導体に電気的に接触し、プラグインコンタクト部は基部導体から突出する。
【００１５】
電流搬送機構は、プラグイン接続デバイスの領域にジャケットを有することができる。ジャケットは、好ましくは、プラグイン接続デバイスのプラグインコンタクト部を、貫通凹部の領域において基部導体から液密に、特に、水密にまたは水蒸気密に封止するように形成される。ジャケットは、好ましくは、オーバーモールドとして形成される。さらに、ジャケットは、相手側プラグイン接続デバイスのコネクタハウジングとして一部分に形成することができる。この場合、これが存在する場合、相手側プラグイン接続デバイスのハウジングは、ジャケット中におよび／またはジャケット上にプラグ接続され得る。
【００１６】
本発明によれば、基部導体は、電気的かつ強固に機械的な基部導体として形成することができる。
【００１７】
さらに、プラグイン接続デバイスは、打ち抜き部品または打ち抜き曲げ部品として形成することができる。さらに、プラグイン接続デバイスは、タブコンタクトデバイスまたはピンコンタクトデバイスとして形成することができる。プラグイン接続デバイスは、基部導体に、ワンパートで、物質的に／接着によりワンピースで、またはワンピースで接続され得、ワンパートおよびワンピースで関して上述したすべてのものがこの場合にも当てはまる。さらに、基部導体は、プラグイン接続デバイスによって、貫通凹部の領域において電気的かつ強固に機械的な方法で接触され得る。さらに、基部導体は、貫通凹部の領域を脱酸する（酸素を取り除く）ことができる。
【００１８】
さらに、電流搬送機構は、上で説明した車両電流搬送機構のように形成することができ、および／または以下で説明する電流搬送機構のように製造することができる。
本発明の電流搬送機構は、所望に応じて拡大縮小し、自動的に製造することができる。インタフェース（ジャケットをもつプラグイン接続デバイス）が、水密の実施形態では実現することができる。１つの単一基部導体上の複数のまたは多様な電流搬送機構が、容易に実現される。
【００１９】
電流搬送機構、特に、自動車産業のための電流バー、バックボーン、バスバーを製造するための本発明の方法を、以下でより詳細に説明する。第１のステップにおいて、細長い電気機械基部導体の電気絶縁部が、今後基部導体に設けられるべきプラグイン接続デバイスの領域において、例えば、開口を切り開き電気絶縁部を取り出すことによって完全に取り除かれる。第１のステップに続く第２のステップにおいて、プラグイン接続デバイスが基部導体に取り付けられる。この場合、時間的に、第１のステップまたは第２のステップの前に、プラグイン接続デバイスは、例えばリール上のキャリアストリップから分離され得る。そのような方法で、複数のプラグイン接続デバイスを、当然、基部導体に固定的に接続することができる。
【００２０】
第１のステップにおいて、電気絶縁部は基部導体に至るまで取り除かれ、その結果、貫通凹部が電気絶縁部に設けられる。時間的に第２のステップの前に、基部導体は、今後基部導体に設けられるべきプラグイン接続デバイスの領域（貫通凹部）の酸素を取り除くことができる。第２のステップは、例えば、接着、はんだ付け、溶接、クリンチングなどによって行うことができる。この場合、プラグイン接続デバイスは、それに形成されている機械的コンタクト部を用いて基部導体に固定される。プラグイン接続デバイスのプラグインコンタクト部は基部導体から突出する。当然、今後基部導体に設けられるべきプラグイン接続デバイスの領域は、最初に、時間的に第１のステップの前に識別されなければならない。
【００２１】
第２のステップに続く第３のステップにおいて、ジャケットをプラグイン接続デバイスの上に設けることができ、ジャケットは、好ましくは、モールド成型される。この場合、ジャケットは、基部導体を完全に取り巻くことができ、電気絶縁部に部分的に重なるかまたは電気絶縁部と機械的に接触する。好ましくは、ジャケットは、プラグインコンタクト部を基部導体から液密に、特に水密または水蒸気密に封止する。ジャケットは、相手側プラグイン接続デバイスのコネクタハウジングとして一部分に形成することができる。
本発明によれば、本発明により得られる電流搬送機構は、本発明の電流搬送機構または本発明の車両電流搬送機構として形成することができる。
【００２２】
本発明の電流搬送機構は、細長い電気機械導体を有し、電気絶縁部が細長い電気機械基部導体を円周方向に囲む。電流搬送機構は、電気絶縁部から露出している少なくとも１つのプラグイン接続デバイスと、電気機械導体とを有する。プラグイン接続デバイスは、電流搬送機構の電気絶縁部および電気機械導体から露出される、特に、切り離される、および／または打ち抜かれる。この場合、電気絶縁部は、結果として生じるプラグイン接続デバイスのまわりの領域（任意選択で、所定のコンタクト領域の一部、以下を参照）で電流搬送機構から取り除かれ、電気機械導体の材料も、結果として生じるプラグイン接続デバイスの形状および／またはサイズに応じて、すなわち、結果として生じるプラグイン接続デバイスのまわりの２つの側または３つの側に応じて取り除かれる。
【００２３】
この場合、少なくとも１つのスロットが、プラグイン接続デバイス（長手方向端部でのプラグイン接続デバイス）に横方向に生じるが、通常、２つのスロットが、残りの電気機械導体の反対側に（長手方向中央部でのプラグイン接続デバイスに）生じる。プラグイン接続デバイスは、好ましくは、電気機械導体に埋め込まれる。この場合、プラグイン接続デバイスは、電気機械導体の面にさらに設けられ、それは、一方の側で電気機械導体に接続され（好ましくは一体化してまたは単一体で、以下を参照）、それと反対の側において、相手側プラグイン接続デバイスにとってアクセス可能である。
【００２４】
電流搬送機構は外縁に少なくとも１つの所定のコンタクト領域を有することができ、外縁からプラグイン接続デバイスは露出され得る。さらに、電気機械導体、特に電気機械導体の電気機械端子導体は、好ましくは、所定のコンタクト領域の領域に被覆することができる。この場合、所定のコンタクト領域は、電流搬送機構の電気絶縁部上に／内に、例えば囲い枠などによって、外に向かってマークを付けることができる。既定の被覆は、例えば、銀、スズなどを有することができ、電気機械導体または電気機械端子導体は、好ましくは、所定のコンタクト領域にのみ被覆される。
【００２５】
電流搬送機構の電気機械導体は、金属複合材製造物、特にアルミニウム／銅複合材製造物から形成することができる。
銅の利点は、比較的良好な電気機械特性（プラグイン接続、耐食性など）と比較的高い導電性を兼ね備えていることであり、高い価格および比較的高い密度（銅で製作されたエンティティの重い重量）は不利である。アルミニウムの利点は、比較的良好な導電性、比較的低い密度（アルミニウムで製作されたエンティティの低い重量）、および比較的安い価格であり、湿気への脆弱性が不利である。
【００２６】
１つの実施形態では、本発明は、比較的大量の電流が搬送されなければならず、その結果、比較的大量の材料が必要であり（コストを要し）、腐食が従属的な役割を果たす（露出したアルミニウムがないかまたはほとんどない）場合に、アルミニウムの使用を含む。さらに、この実施形態では、本発明は、比較的少量の材料が必要であり（コストを要し）、良好な電気的な（コンタクト）特性（電流搬送、機械的耐性、該当する場合、部分的に露出したプラグイン接続の場合の耐食性）が存在する場合に、銅の使用を含む。
これは、本発明が、マイナスの性質を必要以上に受け入れる必要なしに、これらの２つの金属のそれぞれのプラスの性質を組み合わせることを意味する。
さらに、電流搬送機構の電気機械導体は、１つの単一金属製造物、特にアルミニウム製造物から形成することができる。
【００２７】
電気機械導体は、細長い電気機械基部導体と、それと平行に配列された細長い電気機械端子導体とを含むことができる。基部導体は、第１の金属製造物、特にアルミニウムベース製造物を有する。端子導体は、第２の金属製造物、特に銅ベース製造物を有し、または基部導体および端子導体は、同じ金属製造物を有し、互いに一体化してまたは単一体で形成される。
【００２８】
さらに、一体化とは、ここで、基部導体および端子導体が同質に形成されるか、または単一の元の部片で／から製作されることを意味する。これは、単一体構成にも当てはまり、基部導体および端子導体は互いに凝集力を介して接続され、電気機械導体は基部導体および端子導体から多結晶的に形成される。後者の場合には、基部導体と端子導体との間の区別は、電気機械導体において／電気機械導内で観察することができない観念的なラインのみである。
【００２９】
端子導体は、基部導体と実質的に同じ厚さを有することができる。さらに、基部導体は端子導体よりも厚くまたは薄く形成することが可能である。電流搬送機構は、一方または両方の長手方向側に少なくとも１つの所定のコンタクト領域を有することができる。さらに、電流搬送機構は、一方または両方の長手方向側に端子導体を有することができ、端子導体は、基部導体の長手方向部分に沿って延びる。端子導体は、好ましくは、基部導体の長手方向延長部全体に沿って延びる。
【００３０】
被覆を除外して、プラグイン接続デバイスまたは端子導体の厚さは、基部導体の厚さよりも小さくする、基部導体の厚さと同じにする、または基部導体の厚さよりも大きくすることができる。さらに、電流搬送機構は、複数の電気機械導体をもつ多層電流搬送機構として、特に、２つの電気機械導体をもつ二層電流搬送機構として形成することができる。基部導体は、電気的かつ強固に機械的な基部導体として形成することができる。さらに、端子導体は、電気的かつ強固に機械的な端子導体として形成することができる。その上、プラグイン接続デバイスは、タブコンタクトデバイスまたはピンコンタクトデバイスとして形成することができる。その上、プラグイン接続デバイスは、基部導体とともに単一体で、一体化して、単純に、物質的に／接着によりワンピースで形成することができる。
【００３１】
さらに、電流搬送機構は、上述で説明した車両電流搬送機構のように形成することができ、および／または以下で説明する電流搬送機構のように製造することができる。
本発明の電流搬送機構は、所望に応じて拡大縮小し、自動的に製造することができる。液密の、特に水密または水蒸気密のインタフェース（プラグイン接続デバイス）が、相手側プラグイン接続デバイスの例えばシールをもつハウジングによって実現され得る。１つの単一基部導体上の複数のまたは多様な電流搬送機構が、容易に実現される。
【００３２】
電流搬送機構、特に、自動車産業のための電流バー、バックボーン、バスバーを製造するための本発明の方法を、以下でより詳細に説明する。電流搬送機構は、好ましくは、上述のように、細長い電気機械導体を有し、電気絶縁部が細長い電気機械基部導体を円周方向に囲む。第１のステップにおいて、電流搬送機構の素材（blank）において、そこに形成されるべきプラグイン接続デバイスの位置が決定され、時間的に第１のステップに続く第２のステップにおいて、プラグイン接続デバイスが電流搬送機構の素材内に確立され、それによって、実際の電流搬送機構が得られる。この場合、プラグイン接続デバイスは、タブコンタクトデバイスまたはピンコンタクトデバイスとして形成することができる。
【００３３】
第１のステップにおいて、素材に形成されるべきプラグイン接続デバイスの位置決めは、マーク付けされた（例えば、電気絶縁部上に／内に）所定のコンタクト領域によって容易になる。
第２のステップにおいて、プラグイン接続デバイスは、好ましくは、素材および電気機械導体の電気絶縁部から露出され、特に、切り離され、および／または打ち抜かれ、それは、連続的にまたは同時に行うことができる。これが連続的に行われる場合、電気絶縁部は、最初に、電気機械導体に至るまで取り除かれ、その結果、貫通凹部が電気絶縁部に設けられる。続いて、プラグイン接続デバイスが、電気機械導体に形成される。
【００３４】
これらの２つのサブステップの時間的な組合せにより、第２のステップにおいて、電気機械導体の電気絶縁部は、プラグイン接続デバイスの領域において完全に取り除かれ、それはこの後電気機械導体をもたらし、さらに、電気機械導体の材料は、結果として生じるプラグイン接続デバイスの形状および／またはサイズに応じて、すなわち、プラグイン接続デバイスのまわりの２つの側または３つの側に応じて取り除かれる。
【００３５】
好ましくは、電流搬送機構または電流搬送機構の素材は、外縁に少なくとも１つの所定のコンタクト領域を有し、外縁からプラグイン接続デバイスは露出される。プラグイン接続デバイスのプラグインコンタクト部は電気機械導体から突出するが、好ましくは、電流搬送機構の長手方向側の内部のその中に確立される（埋め込まれる）。
本発明によれば、本発明により得られる電流搬送機構は、本発明の電流搬送機構または本発明の車両電流搬送機構として形成することができる。
【００３６】
発明のおよび／または発明的な方法で製造された車両電流搬送機構、または発明のおよび／または発明的な方法で製造された電流搬送機構は、発明のエンティティ、発明の機構、発明のモジュール、発明のサブアセンブリ、発明の機器、発明の装置、発明の機械、発明の運搬手段、発明の搬送手段、発明のシステム、発明のユニットなどを有する。車両、特に自動車車両では、車両電流搬送機構または電流搬送機構は、中央電流バー、中央電力バックボーン、または中央電力バスバーとして形成することができる。
【００３７】
本発明が、縮尺通りでない添付の概略図を参照しながら例示的な実施形態を使用して以下でより詳細に説明される。同一の、一義的な、または同様の実施形態および／または機能を有する部分、要素、構造部品、アセンブリ、ダイヤグラム、および／または構成要素は、図の説明（以下を参照）、符号のリスト、特許請求の範囲において、および同じ符号をもつ図面の図（Ｆｉｇ．）において特徴付けられる。本明細書（本発明の説明（上述を参照）、図の説明（以下を参照））において説明されない、および図面に示されない、および／または本発明の例示的な実施形態に限定されない１つの可能な代替、定常状態および／または運動学的反転、組合せなど、またはその構成要素、ダイヤグラム、アセンブリ、構造部品、要素、または部分は、さらに、符号のリストから推測することができる。
【００３８】
本発明において、特徴（部分、要素、構造部品、アセンブリ、構成要素、機能、変数など）は、ポジティブである、すなわち、存在する、またはネガティブである、すなわち、存在しないように構成することができる。ネガティブな特徴は、それが存在しないという事実が本発明によって重要であると見なされない場合、特徴として明示的に説明されない。本明細書（説明、符号のリスト、特許請求の範囲、図面）の特徴は、指定の方法で適用することができるだけでなく、むしろ様々な方法（分離、集約、置換、追加、固有の、省略など）でも適用することができる。特に、説明、符号のリスト、特許請求の範囲、および／または図面における符号とそれに帰する特徴、またはその逆を使用して、特許請求の範囲および／または説明における特徴を取り替える、追加する、または省略することが可能である。その上、請求項の特徴は、結果としてより詳細に解釈および／または規定することができる。
【００３９】
本明細書の特徴は、（（ほとんど知られていない）先行技術を考慮して）任意選択の特徴として解釈することもできる、すなわち、各特徴は、任意選択の、任意の、または好ましい特徴、すなわち、拘束性のない特徴として理解することができる。したがって、特徴を、該当する場合その周辺を含めて、例示的な実施形態から切り離すことが可能であり、次いで、この特徴は一般化された発明概念に移すことができる。例示的な実施形態に特徴（ネガティブな特徴）がないことは、その特徴が本発明に関して任意選択であることを示している。さらに、特徴の定型用語の場合には、その特徴の総称用語もこれとともに読み取ることができる（該当する場合、サブジーナス（subgenus）、部分などへの追加の階層的分類）。その結果として、例えば、同一の効果および／または等価を考慮に入れて、１つのまたはこの特徴を一般化することが可能である。図において、図は単に例示である。
【図面の簡単な説明】
【００４０】
【図１】電気絶縁された基部導体の、片側が破断された斜視図である。基部導体の電気絶縁部が、基部導体を設けることができるプラグイン接続デバイスの領域で取り除かれている。
【図２】基部導体のための２つの電気プラグイン接続デバイスがキャリアストリップに一体化して設けられている。このキャリアストリップの、２つの側で破断された斜視図である。
【図３】図１と同様の基部導体の描写を示す図である。プラグイン接続デバイスは、絶縁部がない領域で基部導体に固定されている（本発明の電流搬送機構）。
【図４】図３と同様の電流搬送機構の描写を示す図である。電流搬送機構は、プラグイン接続デバイスの領域にジャケットを有する。
【図５】図４による電流搬送機構の、片側で破断された斜視図である。電流搬送機構は、そのジャケッット付きプラグイン接続デバイスの領域で切断されたように示されている。
【図６】本発明の電流搬送機構の第１の例示的な実施形態の切断側面図である。電流搬送機構には基部導体と端子導体が設けられており、基部導体および端子導体は同じ厚さで形成されている。
【図７】電流搬送機構の第２の例示的な実施形態の切断側面図であり、基部導体は端子導体よりも厚く形成されている。
【図８】電流搬送機構の第３の例示的な実施形態の切断側面図である。電流搬送機構には基部導体および２つの端子導体が設けられており、基部導体は端子導体よりも厚く形成されている。
【図９】電流搬送機構の第４の例示的な実施形態の、２つの側で破断された斜視図である。所定のコンタクト領域から露出しているプラグイン接続デバイスが示されている。
【図１０】アルミニウムベース基部導体および所定のコンタクト領域または銀めっき銅ベース端子導体をもつ、図６と同様の電流搬送機構の第５の例示的な実施形態の切断側面図である。
【図１１】アルミニウムベース基部導体および所定のコンタクト領域または銀めっきアルミニウムベース端子導体をもつ、図６と同様の電流搬送機構の第６の例示的な実施形態の切断側面図である。
【図１２】２つの側に設けられた所定のコンタクト領域または銀めっき端子導体をもつ、図１０と同様の電流搬送機構の第７の例示的な実施形態の切断側面図である。
【図１３】２つの側に設けられた所定のコンタクト領域または銀めっき端子導体をもつ、図１１と同様の電流搬送機構の第８の例示的な実施形態の切断側面図である。
【図１４】可変の厚さで形成された２つの側に設けられた所定のコンタクト領域または銀めっき端子導体をもつ電流搬送機構の第９の例示的な実施形態の切断側面図である。
【図１５】電流搬送機構の第１０の例示的な実施形態の切断側面図である。電流搬送機構は二層電流搬送機構として形成されている。
【図１６】電流搬送機構の第１１の例示的な実施形態の、２つの側で破断された斜視図である。所定のコンタクト領域（ボックス）から露出している３つのプラグイン接続デバイスが示されている。
【発明を実施するための形態】
【００４１】
本発明の概要が、（エネルギー／電力）バックボーン１、（エネルギー／電力）バスバー１などの本発明の（車両）電流搬送機構１の第１の変形の一実施形態（図１〜図５）と第２の変形の３つの例示的な実施形態（図６〜図８、図９、図１０、図１２、図１４〜図１６、および図１１、図１３）の例示的な実施形態とを使用して以下でより詳細に説明される。しかしながら、本発明は、そのような変形、実施形態、および／または以下で説明する例示的な実施形態に限定されるのではなくて、より基本的な性質なものであり、その結果、本発明は、例えば非自動車産業のための例えば機器０、機械０、運搬手段０、システム０、ユニット０などのための本発明によるすべての電流搬送機構に適用することができる。
【００４２】
本発明を理解するために必要な部分のみが図面に示される。本発明が好ましい例示的な実施形態によって詳細に説明され、詳細に図示されるが、本発明は開示する例示的な実施形態によって限定されない。本発明の保護の範囲から逸脱することなく、他の変形を実施形態から導き出すことができる。
【００４３】
本発明の第１の変形の実施形態の製造および構造を、図１〜図５を使用してより詳細に以下で説明する。この場合、細長いまたは棒状の電気的なまたは電気的に（強固に）機械的な基部導体１０、例えば、好ましくはアルミニウムまたはアルミニウム合金で製作された実際の（電流）バー１０が推定（surmise）されている。当然、別の材料を使用することができる。基部導体１０は電気絶縁部３０を有し、電気絶縁部３０は、好ましくは、基部導体１０を円周方向に完全に囲む。電気絶縁部３０は、特に、好ましくはモールド成型されたプラスチックで製作される。この場合、描写とは異なり、基部導体１０の２つの端面も電気絶縁部３０を有することができる。後者の場合には、基部導体１０は最初に完全にカプセル化されるかまたは電気的に絶縁される。
【００４４】
電流搬送機構１では、最初に、基部導体１０の電気絶縁部３０のある領域が突き止められ、その領域において、最初は分離している電気的なまたは電気的かつ強固に機械的なプラグイン接続デバイス１００（図２）が、基部導体１０に固定的に設けられるかまたは組み立てられる（図１）ことが意図される。好ましくは一体化されたワンピースまたはワンパートプラグイン接続デバイス１００が、好ましくは、（faston）タブコンタクトデバイス１００またはピンコンタクトデバイスとして形成され、ブッシングコンタクトデバイスも当然使用することができる。この場合、プラグイン接続デバイス１００は、好ましくは、アルミニウム、銅、アルミニウム合金、または銅合金から製造され、特に、打ち抜き加工されるか、または打ち抜き加工および曲げ加工される。
【００４５】
プラグイン接続デバイス１００は、プラグイン接続デバイス１００を基部導体１０に組み立てるためのコンタクト部１１０と、プラグインコンタクト部１２０とを有する。プラグインコンタクト部１２０によって、プラグイン接続デバイス１００は、電気的なまたは電気的かつ強固に機械的な相手側プラグイン接続デバイス９（図１２、図１３、図１６を参照）により電気的に接触され得る。プラグイン接続デバイス１００は、例えば銀２２２、スズ２２２などで完全にまたは選択的に被覆することができる。選択的被覆の場合には、プラグインコンタクト部１２０のみが、さらに、該当する場合、１つの側または２つの側に選択的に被覆される。プラグイン接続デバイス１００は、好ましくは、例えばリール上のキャリアストリップ９０によって用意される。
【００４６】
時間的に、プラグイン接続デバイス１００のための領域を突き止めた後、電気絶縁部３０は、例えば、開口を切り開き電気絶縁部３０を取り出すことによって、この領域で基部導体１０から実質的に完全に取り除かれる（第１のステップ、図１）。初期の結果は、電気絶縁部３０の貫通凹部３１０または凹部３１０の下の基部導体１０上の露出領域１１または基部導体１０の露出領域１１である。時間的に、その後にまたは第２のステップの直前に、基部導体１０の領域１１は、好ましくは、酸素を取り除かれる。
【００４７】
時間的に続く第２のステップにおいて、プラグイン接続デバイス１００は、基部導体１０に、ワンパートで、物質的に／接着によりワンピースで、またはワンピースで接続され（図３）、すなわち、基部導体１０に取り付けられ、それは、例えば、接着、はんだ付け、溶接、クリンチングなどによって行うことができる。この目的のために、プラグイン接続デバイス１００の機械的コンタクト部１１０は、領域１１で基部導体１０に固定される。次いで、例えば、プラグイン接続デバイス１００のプラグインコンタクト部１２０は、例えば、基部導体１０から横方向に、上方に、または下方に突出するまたは突き出る。
【００４８】
その結果、本発明の電流搬送機構１が得られる。当然、これらのステップは、複数のプラグイン接続デバイス１００を基部導体１０に固定的に接続することが意図される場合、それ自体繰り返して実行され得る。時間的に、プラグイン接続デバイス１００が基部導体１０に固定された後、好ましくはモールド成型されたジャケット４０が、該当する場合、関連するプラグイン接続デバイス１００の上に設けられてもよい（第３のステップ）。この場合、ジャケット４０は、相手側プラグイン接続デバイス９のコネクタハウジング４２として部分的に形成されてもよい。
【００４９】
本発明の第２の変形の３つの実施形態の製造および構造を、図６〜図１６を使用してより詳細に以下で説明する。この場合、細長いまたは棒状の電気的なまたは電気的に（強固に）機械的な導体１０／２０、例えば、好ましくはアルミニウムおよび／または銅、またはアルミニウム合金および／または銅合金で製作された実際の（電流）バー１０／２０が推定されている。当然、別の材料または他の材料または組合せを使用することができる。電気機械導体１０／２０は電気絶縁部３０を有し、電気絶縁部３０は、好ましくは、電気機械導体１０／２０を円周方向に完全に囲み、電気絶縁部３０は、特に、好ましくはモールド成型されたプラスチックで製作される（図９〜図１６を参照）。この場合、導体１０／２０の２つの端面が、好ましくは、さらに、電気絶縁部３０を有する、すなわち、導体１０／２０は、最初に完全にカプセル化されるかまたは電気絶縁される。
【００５０】
電気機械導体１０／２０は、好ましくは、金属複合材製造物または単に１つの単一金属製造物から形成または作成される。この場合、電気機械導体１０／２０は、細長い電気機械基部導体１０と、それと平行に配列された細長い電気機械端子導体２０とを含むことができる。
第１の場合（好ましくは複合材製造物、図６〜図１０、図１２、図１４、図１５）、基部導体１０は、第１の金属製造物、特にアルミニウム製造物を有し、端子導体２０は、第２の金属製造物、特に銅ベース製造物を有する。
【００５１】
第２の場合（図１１、図１３）、基部導体１０および端子導体２０は同じ金属製造物、特にアルミニウム製造物を有する。この場合、端子導体２０および基部導体１０は、好ましくは、一緒に形成され、それらの２つは互いに明らかに異なっておらず、または基部導体１０は端子導体２０中に連続的に移行しており、それは、例えば、図１１、図１３に示されている。次いで、最初に、厚さ、形状などの差に関係なく寸法に基づいて区別をすることができる。−  両方の場合に、後で組み立てられるべきであり、例えば、銀２２２、スズ２２２などで被覆を行うことができる少なくとも１つの潜在的なプラグイン接続デバイス２０２のために、端子導体２０は、（所定のコンタクト領域２００として、またはさらに単にプラグイン接続デバイス（２０２）として、以下を参照）１つの側に（図６、図７、図１０、図１１）または両方の側に（図８、図１２〜図１６）多分部分的に被覆することができる。
【００５２】
端子導体２０は、基部導体１０と同様に、基部導体１０とともに単一体で、一体化して、単純に、物質的に／接着によりワンピースで、またはワンピースで形成される細長いまたは棒状の電気的なまたは電気的かつ（強固に）機械的な端子導体２０として形成することができる。この場合、基部導体１０において、端子導体２０は、基部導体１０と実質的に同じ長さである電流搬送機構１の素材（１）内に設けられるまたは確立され得る。当然、基部導体１０の一部分にのみ端子導体２０を設けることが可能である。その結果、端子導体２０は、さらに、少なくとも１つの所定の電気的なコンタクト領域２００または電気的かつ強固に機械的なコンタクト領域２００として、またはさらに単に少なくとも１つの電気的なまたは電気的かつ強固に機械的なプラグイン接続デバイス２０２として形成することができる（以下で両方を参照）。
【００５３】
電流搬送機構１の素材（１）において、電気機械導体１０／２０、または基部導体１０および少なくとも端子導体２０、したがって、少なくとも１つの所定のコンタクト領域２００（該当する場合、少なくとも１つの端子導体２０の）または少なくとも１つのプラグイン接続デバイス２０２（該当する場合、少なくとも１つの所定のコンタクト領域２００のおよび／または端子導体２０の）は、少なくとも２つの比較的大きい側（長手方向および横断方向に延びる）のみに電気絶縁部３０を備える。好ましくは、素材（１）は電気絶縁部３０を完全に備える。
【００５４】
電流搬送機構１の製造では、素材（１）に創り出されるべきプラグイン接続デバイス２０２の位置が、最初に、電流搬送機構１の素材（１）において決定される（第１のステップ）。この場合、選択されるべき少なくとも１つのプラグイン接続デバイス２０２に対して、少なくとも１つの所定のコンタクト領域２００および／または少なくとも１つの（依然として電気絶縁された）プラグイン接続デバイス２０２における少なくとも１つの端子導体２０の少なくとも１つの位置を、選択することができる。この少なくとも１つの位置は、例えば、電気絶縁部３０に／電気絶縁部３０内にマークされた複数の位置から選択することができる（図９を参照）。
【００５５】
時間的にその後、少なくとも１つの電気的プラグイン接続デバイス２０２または、電気的かつ強固に機械的なプラグイン接続デバイス２０２は、結果として生じる電流搬送機構１の素材（１）から露出される、特に、切り離される、または打ち抜かれる（第２のステップ）。この場合、多分、電気絶縁部３０のみが、関連する領域において素材（１）から取り除かれる。さらに、プラグイン接続デバイス２０２が、その直ぐ後に続いてまたは実質的に同時に形成され得る。後者は、好ましくは、結果として生じるプラグイン接続デバイス２０２の右側および左側に長手方向に２つのスロット（１つのスロットだけが１つの長手方向端部では必要である）を設けることによって行われる（図９を参照）。電気的な相手側プラグイン接続デバイス９、または電気的かつ強固に機械的な相手側プラグイン接続デバイス９が、後で、実際の電流搬送機構１の結果として生じる（faston）タブコンタクトデバイス２０２またはピンコンタクトデバイス２０２にプラグ接続され得る。
【００５６】
図６から図１６に示した電流搬送機構１の例示的な実施形態の構成を以下で急いでより詳細に説明する。
図６の場合には、基部導体１０および端子導体２０または所定のコンタクト領域２００は実質的に同じ厚さで形成され、基部導体１０の長手方向側および端子導体２０の長手方向側は複合コンタクト領域２１０で互いに接続される。プラグイン接続デバイス２０２は、プラグインコンタクト部２２０によって端子導体２０または所定のコンタクト領域２００から露出された。これは、図７および図８にも当てはまる。
【００５７】
図７の場合には、端子導体２０は、基部導体１０よりも薄く、基部導体１０の、大きい表面区域を有する外側に設けられ、端子導体２０は複合コンタクト領域２１０の所で基部導体１０に埋め込まれる（端子導体２０は、好ましくは、横断方向において基部導体１０に部分的に重なる）。複合コンタクト領域２１０は、端子導体２０と基部導体１０との間で、長手方向だけでなく横断方向にも確立される。
図８は、２つの端子導体２０をもつ基部導体１０を示す。２つの端子導体２０は、基部導体１０上に設けられ、図７と同様である。基部導体１０は、端子導体２０よりも厚く形成され、端子導体２０は、基部導体１０に固定され、基部導体１０の断面に関して互いに対角線上反対側に配置される。
【００５８】
図６〜図８において、関連するプラグイン接続デバイス２０２のそれぞれのプラグインコンタクト部２２０は、電流搬送機構１から外側に突出し、両方の長手方向に十分なスペースがあるならば５つの直動方向（translatory direction）からアクセス可能である。関連するプラグインコンタクト部２２０は１つの横断方向からのみアクセス可能なものではない。図６〜図８は、プラグイン接続デバイス２０２のそれぞれのプラグインコンタクト部２２０、またはプラグイン接続デバイス２０２の被覆２２２を示していない。各々第１の実施形態を示す図６〜図８の例示的な実施形態において、そのような実施形態が当然適用され得る。
【００５９】
第２の実施形態への移行が、破線を使用して図７に示されている（これは、図６および図８にも適用することができる）。第２の実施形態では、関連するプラグイン接続デバイス２０２の裸のプラグインコンタクト部２２０が、電流搬送機構１に埋め込まれ、プラグインコンタクト部２２０は、３つの直動方向（正面、上、下）からのみアクセス可能である。これが、さらに、図９に示されており、図９は、さらに、被覆された端子導体２０（被覆２２２）または被覆された所定のコンタクト領域２００、および被覆されたプラグイン接続デバイス２０２または被覆されたプラグインコンタクト部２２０を示している。図１６は、この種の３つのプラグイン接続デバイス２０２またはプラグインコンタクト部２２０を示しており、それらは各々相手側プラグイン接続デバイス９によって接触される。
【００６０】
以下の図１０〜図１５は、確立されたプラグイン接続デバイス２０２またはプラグインコンタクト部２２０のある距離の電流搬送機構１の断面を示し、以前のとおり、関連する電流搬送機構１の完全に円周方向に電気絶縁された断面が、どの場合にも示されている。この場合、それぞれの電流搬送機構１は、少なくとも１つの露出したプラグイン接続デバイス２０２または１つの露出したプラグインコンタクト部２２０を有することができる。これが、図１２および図１３において、どの場合にも相手側プラグイン接続デバイス９によって強調表示されており、相手側プラグイン接続デバイス９は、図示されていないプラグイン接続デバイス２０２にまたは図示されていないプラグインコンタクト部２２０にプラグ接続される。
【００６１】
図１０は、電流搬送機構１のアルミニウムベース基部導体１０を示しており、１つの単一銅ベース端子導体２０が横方向に設けられる（複合材製造物）。この場合、端子導体２０は、特に銀２２２を用いて両面で被覆される。
図１１は、図１０と同様の構成を示しているが、端子導体２０および基部導体１０が両方ともアルミニウムベースである。この場合、端子導体２０が基部導体１０と同時に製造される（押出し、圧延、鋳造など）ことが好ましい。基部導体１０および端子導体２０は、好ましくは、単一体で、一体化して、および／または単純に形成される。
【００６２】
図１２は、図１０と同様の電流搬送機構１の描写を示しているが、好ましくは銀２２２で被覆された２つの両側の銅ベース端子導体２０が、アルミニウムベース基部導体１０の横断方向側に設けられる。
さらに、図１３は、図１１と同様の電流搬送機構１の描写を示しており、好ましくは銀２２２で被覆された２つの両側のアルミニウムベース端子導体２０が、やはりアルミニウムベースの基部導体１０の横断方向側に形成される。
【００６３】
図１０〜図１３の例示的な実施形態では、関連する導体１０、２０は、同じ厚さで形成することができる。例として、図１４は、これは、必ずしも単一基部導体１０に２つの端子導体２０をもつ場合である必要がなく、端子導体２０の厚さが変化し、端子導体２０が、好ましくは、銀２２２で被覆されていることを強調表示している。この場合、関連する端子導体２０は、好ましくは、基部導体１０よりも薄く（図１４の左側）、または好ましくは基部導体１０と同じ厚さを有する（図１４の左側）。
さらに、すべての例示的な実施形態において、被覆２２２が基部導体１０まで達し、該当する場合、基部導体１０にわずかに重なることが有利であり得る（図１０、図１２、図１４、図１５を参照）。
【００６４】
図１４は、互いに電気絶縁されている２つの電気機械導体１０／２０、１０／２０をもつ二層電流搬送機構１としての電流搬送機構１を示している。この場合、好ましくは、電気絶縁部３０の１つの単一層のみが２つの基部導体１０間に設けられる。さらに、端子導体２０または所定のコンタクト領域２００は、１つの長手方向側のみで、関連する基部導体１０に設けられることが好ましい。異なる数の電気機械導体１０／２０、１０／２０、…が、当然、可能である（多層電流搬送機構１）。
本発明の第１の変形によるジャケット（４０、４２）は、当然、すべての例示的な実施形態に適用することができる。
【図１】
2018110112.tif 000003
【図２】
2018110112.tif 000004
【図３】
2018110112.tif 000005
【図４】
2018110112.tif 000006
【図５】
2018110112.tif 000007
【図６】
2018110112.tif 000008
【図７】
2018110112.tif 000009
【図８】
2018110112.tif 000010
【図９】
2018110112.tif 000011
【図１０】
2018110112.tif 000012
【図１１】
2018110112.tif 000013
【図１２】
2018110112.tif 000014
【図１３】
2018110112.tif 000015
【図１４】
2018110112.tif 000016
【図１５】
2018110112.tif 000017
【図１６】
2018110112.tif 000018
【外国語明細書】
2018110112000001.pdf